(57)【要約】      （修正有）【課題】光源を正しく位置決め出来、液晶セルの交換を容易にした液晶表示装置を提供する。【解決手段】光源５を保持するための保持リブを形成した光源保持枠４を備えたことで、光源５を正しく位置決めして取付けることができると共に、バックシャーシ９に光源保持枠４を取付けるための取付け部としての取付孔を形成したことで、バックシャーシ９に、反射シート８と、導光板６と、光学シート７と、光源５を保持した光源保持枠４とを一体に取付けることができ、バックライトが一体化する。【選択図】図１
0003159765.tif 000002
【実用新案登録請求の範囲】
【請求項１】
フロントキャビネットとリアキャビネットからなる筐体の内部に、映像を表示する液晶セルと、液晶セルの背面から光を照射するエッジライト方式のバックライトと、液晶セルに映像を表示するための回路基板とを収容した液晶表示装置であって、前記バックライトは、光源と、光学シートと、導光板と、反射シートと、枠状で光源を保持するための保持リブを形成した光源保持枠と、バックライトの背面を覆うバックシャーシとを有し、前記バックシャーシに、前記光源保持枠を取付けるための取付け部と、バックシャーシをフロントキャビネットに取付けるための取付け部とを形成したことを特徴とする液晶表示装置。
【請求項２】
前記バックシャーシには、上端と下端を垂直に折り曲げて縁を形成し、前記光源保持枠には、前記導光板の側面から漏れる光を遮蔽するための光遮蔽リブと、前記縁を位置決めするための位置決めリブを形成したことを特徴とする請求項１に記載の液晶表示装置。
【請求項３】
前記フロントキャビネットには、前記液晶セルを位置決めするためのリブと、前記バックシャーシを取付けるためのボスを形成したことを特徴とする請求項１または請求項２に記載の液晶表示装置。
【考案の詳細な説明】
【技術分野】
【０００１】
本考案は、液晶テレビジョン受像機などの液晶表示装置に係るものであり、詳しくは、液晶表示装置のフロントキャビネットに液晶セルとバックライトを取り付ける構造に関するものである。
【背景技術】
【０００２】
液晶テレビジョン受像機などの液晶表示装置は、筐体となるフロントキャビネットとリアキャビネットの内部に、映像を表示する液晶表示パネルと、音声を出力するスピーカと、テレビジョン放送信号を受信する回路、液晶表示パネルに映像信号を出力する回路、スピーカに音声信号を出力する回路、装置の制御を行う回路などの電子部品を実装した信号処理回路基板と、装置内部に電源を供給する電源回路の電子部品を実装した電源回路基板を収容している。液晶表示パネルは、液晶セルと液晶セルの背面から光を照射するバックライトを重ねたもので、一般的には液晶セルとバックライトはベゼルと称される金属性の枠体に組み付けられて一体化している。
【０００３】
一方、液晶表示装置の薄型化・軽量化を図る為に、ベセルを使用することなく、液晶セルとバックライトを筐体となるフロントキャビネットに直接取付けて構成した液晶表示装置も知られている。例えば、特許文献１の液晶表示装置は、フロントキャビネットに液晶セルとバックライトの構成部品である光学シートと導光板と反射シートを順に組み付ける構造である。また、バックライトの光源である蛍光ランプはリフレクターと組み合わせた状態で導光板に取付けられている。
【０００４】
【特許文献１】特開２００３−１６７２３５
【考案の概要】
【考案が解決しようとする課題】
【０００５】
特許文献１の液晶表示装置は、フロントキャビネットに液晶セルとバックライトの構成部品である光学シートと導光板と反射シートを順に組み付ける構造であるため、修理において液晶セルを交換するときには、反射シートと導光板と光学シートを順に取り外してから液晶セルを交換し、そして光学シートと導光板と反射シートを順に組み付けることになる。このように液晶セルを交換するためには、バックライトの構成部品の一つ一つを取り外さなければならず、埃などがバックライトの構成部品の間に侵入し二次不良となる可能性が高くなるという問題がある。また、蛍光ランプはリフレクターと組み合わせた状態で導光板に取付けているため、装置が大型化するほど、蛍光ランプは導光板のサイズに合わせて長くなるため、蛍光ランプと導光板との位置決めが困難になることが考えられる。
【０００６】
本考案の目的は、光源を正しく位置決め出来、液晶セルの交換を容易にした液晶表示装置を提供することにある。
【課題を解決するための手段】
【０００７】
請求項１の考案は、フロントキャビネットとリアキャビネットからなる筐体の内部に、映像を表示する液晶セルと、液晶セルの背面から光を照射するエッジライト方式のバックライトと、液晶セルに映像を表示するための回路基板とを収容した液晶表示装置であって、前記バックライトは、光源と、光学シートと、導光板と、反射シートと、枠状で光源を保持するための保持リブを形成した光源保持枠と、バックライトの背面を覆うバックシャーシとを有し、前記バックシャーシに、前記光源保持枠を取付けるための取付け部と、バックシャーシをフロントキャビネットに取付けるための取付け部とを形成したことを特徴とする。
【０００８】
請求項２の考案は、前記バックシャーシには、上端と下端を垂直に折り曲げて縁を形成し、前記光源保持枠には、前記導光板の側面から漏れる光を遮蔽するための光遮蔽リブと、前記縁を位置決めするための位置決めリブを形成したことを特徴とする。
【０００９】
請求項３の考案は、前記フロントキャビネットには、前記液晶セルを位置決めするためのリブと、前記バックシャーシを取付けるためのボスを形成したことを特徴とする。
【考案の効果】
【００１０】
請求項１の考案によれば、バックシャーシに光源保持枠を取付けるための取付け部を形成したことで、バックシャーシに、反射シートと、導光板と、光学シートと、光源を保持した光源保持枠とを一体に取付けることができる。これにより、液晶セルを交換するときに、一体化したバックライトを取り外すだけで良く、バックライトの構成部品の一つ一つを取り外す必要がなくなるため、液晶セルの交換が容易にできると共に、埃などがバックライトの構成部品の間に侵入することが防止できる。また、光源を保持するための保持リブを形成した光源保持枠を備えたことで、光源を正しく位置決めして取付けることができる。
【００１１】
請求項２の考案によれば、光源保持枠にバックシャーシの縁を位置決めするための位置決めリブを形成したことで、バックシャーシに光源保持枠を位置決めして取付けることができる。また、光源保持枠に導光板の側面から漏れる光を遮蔽するための光遮蔽リブを形成したことで、一体化したバックライトの側面から光が漏れることがない。
【００１２】
請求項３の考案によれば、フロントキャビネットに液晶セルを位置決め出来ると共に、一体化したバックライトを取付けることが出来る。
【００１３】
このように、フロントキャビネットに液晶セルとバックライトの構成部品を組み付ける構造において、バックライトを一体化することで、液晶セルの交換が容易にできると共に、埃などがバックライトの構成部品の間に侵入することが防止できる。
【図面の簡単な説明】
【００１４】
【図１】本考案の液晶表示装置の分解斜視図
【図２】本考案の光源保持枠の部分斜視図
【図３】本考案のバックシャーシの斜視図
【図４】本考案のフロントキャビネットの斜視図
【図５】本考案の液晶表示装置の背面図
【考案を実施するための形態】
【００１５】
図１から図５を参照して本考案の実施形態を説明する。図１は液晶表示装置の分解斜視図、図２は光源保持枠の部分斜視図、図３はバックシャーシの部分斜視図、図４はフロントキャビネットの部分斜視図、図５は液晶表示装置の背面図である。なお、本考案はその主旨に反しない範囲で、実施例において説明した構成以外のものに対しても適用可能である。
【００１６】
図１は、液晶表示装置の分解斜視図で、リアキャビネットと回路基板とスピーカは省略している。同図に示すように、液晶表示装置１は、筐体となるフロントキャビネット２に、映像を表示する液晶セル３と、液晶セル３の背面から光を照射するバックライトを組み付ける構成としている。バックライトは、エッジライト方式で、光源としてのランプ５と、ランプ５の光を面照射にする導光板６と、光を拡散させて輝度ムラを低減するための光学シート７と、光を反射する反射シート８と、ランプ５を保持するための光源保持枠４と、バックライトの背面を覆うためのバックシャーシ９とを備える。
【００１７】
図２は、光源保持枠の部分斜視図である。同図に示すように、光源保持枠４には、導光板６の上側面と下側面に光源となるランプ５，５を配置するために、略長方形の枠の上辺と下辺にそれぞれ、ランプ５を位置決めして保持するための保持リブ４１，４２を形成する。また、導光板６の側面から漏れる光を遮蔽するために、略長方形の枠の全周に亘って光遮蔽リブ４３を形成する。実施例においては、上辺の保持リブ４２は、ランプ５を保持するだけでなく光遮蔽リブとしても兼用している。また、光源保持枠４には、光源保持枠４をバックシャーシ９に取付けるための取付片４５を形成し、取付片４５にはネジ締め用の孔４６を形成する。なお、光源をランプ（ＣＣＦＬ）としているが、発光ダイオード（ＬＥＤ）であっても良い。光源が発光ダイオードの場合には、発光ダイオードを並べて実装した回路基板を位置決めして保持するための保持リブを光源保持枠４に形成する。
【００１８】
図３は、バックシャーシの斜視図で、図３（ａ）は全体図、図３（ｂ）は右上のコーナー部分を拡大した図である。同図で示すように、バックシャーシ９は、バックライトの背面を覆うようにするために略長方形とし、各辺の端を垂直に折り曲げた縁９４を形成する。また、光源保持枠４の取付片４５に対応する位置にネジ締め用の取付孔９１を形成する。これにより、バックシャーシ９に、反射シート８と、導光板６と、光学シート７とを順に収容した後に、ランプ５を保持した光源保持枠４をバックシャーシ９にネジ締めすることで、バックライトを一体化することができる。そして、バックシャーシ９には、バックシャーシ９をフロントキャビネット２に取付けるための取付片９２を形成し、取付片９２にはネジ締め用の孔９３を形成する。これにより、フロントキャビネット２に液晶セル３を保持した後に、一体化したバックライトをフロントキャビネット２にネジ締めすることで、フロントキャビネット２に液晶セル３とバックライトを取り付けることが出来る。また、バックシャーシ９の背面に回路基板を取付けるための基板取付部９５を形成する。これにより、バックシャーシ９の背面に回路基板を取り付けることが出来る。
【００１９】
図４は、フロントキャビネットの斜視図で、図４（ａ）は全体図、図４（ｂ）は右上のコーナー部分を拡大した図である。同図で示すように、フロントキャビネット２には、液晶セル３の表示画面を露出するための開口部２１を形成し、開口部２１の近傍に液晶セル３を位置決めして保持するための位置決め用リブ２２を形成する。また、バックシャーシ９の取付片９２に対応する位置にネジ締め用のボス２３を形成する。そしてフロントキャビネット２にリアキャビネットをネジ締めするためのボス２４と、スピーカをネジ締めするためのボス２５も形成する。
【００２０】
図５は、液晶表示装置の背面図で、内部の配置がわかるようにリアキャビネットを省略している。同図に示すように、バックシャーシ９の背面には、液晶セル３に映像を表示するための回路基板としての、テレビジョン放送信号を受信する回路、液晶表示パネルに映像信号を出力する回路、スピーカに音声信号を出力する回路、装置の制御を行う回路などの電子部品を実装した信号処理回路基板１１と、装置内部に電源を供給する電源回路の電子部品を実装した電源回路基板１２と、液晶セルの各素子を制御するドライブ基板１３とを取付ける。また、スピーカ１０２，１０２も取付ける。そして最後にリアキャビネットをフロントキャビネット２に取付ける。
【００２１】
このように、光源５を保持するための保持リブ４１，４２を形成した光源保持枠４を備えたことで、光源５を正しく位置決めして取付けることができると共に、バックシャーシ９に光源保持枠４を取付けるための取付孔９１を形成したことで、バックシャーシ９に、反射シート８と、導光板６と、光学シート７と、光源５を保持した光源保持枠４とを一体に取付けることができ、バックライトの一体化が可能となる。これにより、液晶セル３を交換するときに、一体化したバックライトを取り外すだけで良く、バックライトの構成部品の一つ一つを取り外す必要がなくなるため、液晶セル３の交換が容易にできると共に、埃などがバックライトの構成部品の間に侵入することを防止できる。また、埃などが液晶セル３とバックライトの間に侵入した場合であっても、一体化したバックライトを取り外すだけで良いため、埃の除去が容易にできる。
【００２２】
また、光源保持枠４に位置決めリブ４４を形成したことで、バックシャーシ９の縁９４を光源保持枠４の位置決めリブ４４に合わせることで、バックシャーシ９に対して光源保持枠４を位置決めして取付けることができる。また、光源保持枠４に導光板６の側面から漏れる光を遮蔽するための光遮蔽リブ４３を形成したことで、一体化したバックライトの側面から光が漏れることがない。
【符号の説明】
【００２３】
１  液晶表示装置
２  フロントキャビネット
３  液晶セル
４  光源保持枠
５  ランプ（光源）
６  導光板
７  光学シート
８  反射シート
９  バックシャーシ
２２  位置決め用リブ
２３  ボス
４１，４２  保持リブ
４３  光遮蔽リブ
４４  位置決めリブ
４５  取付片
９１  取付孔
９４  縁    
【図１】
0003159765.tif 000003
【図２】
0003159765.tif 000004
【図３】
0003159765.tif 000005
【図４】
0003159765.tif 000006
【図５】
0003159765.tif 000007